(57)【要約】【課題】隔て板が備える破壊可能な機能を損なわずに、メンテナンス工事等で必要な場合には、ベランダを通路として使用可能な扉体を簡単に設置可能とする扉体を備える隔て板を提供する。【解決手段】マンション等の集合住宅のベランダにおける隣家間の境界部分に設置される隔て板１において、隔て板１を構成する枠材５と、枠材５内に嵌め込まれる破壊可能な材料からなる板材６と、板材６に設けられた開口部７内に配設され、開口部７との間に介設される回転軸４０によって開口部７を開閉可能な扉体８と、扉体８の自由端部における両側面部に、該扉体８の自由端部が位置する板材６の開口部側と係脱可能に係合する錠５０とを備える。これにより、非常時には、蹴破って板材６を破壊することができる。また、メンテナンス工事等を行う場合には、扉体８を開放して開口部７をベランダの通路として使用することができる。【選択図】図１
2011174308.tif 000002
【特許請求の範囲】
【請求項１】
マンション等の集合住宅のベランダにおける隣家間の境界部分に設置される隔て板であって、
隔て板を構成する枠材と、該枠材内に嵌め込まれる破壊可能な材料からなる板材と、該板材に設けられた開口部内に配設され、開口部との間に介設される回転軸によって上記開口部を開閉可能な扉体と、上記扉体の自由端部における両側面部に、該扉体の自由端部が位置する上記板材の開口部側と係脱可能に係合する錠とを備え、非常時には、上記板材が人力により破壊可能に形成されている、ことを特徴とする扉体を備える隔て板。
【請求項２】
請求項１記載の扉体を備える隔て板において、
上記錠は、上記扉体を挟持した状態で固定されるＵ字状の取付部材と、該取付部材の両面に対して回動可能に装着される一対の係止部材とを具備し、上記両係止部材の先端部により上記板材を挟み込むように係合して施錠状態を保持するように形成してなる、ことを特徴とする扉体を備える隔て板。
【請求項３】
請求項２記載の扉体を備える隔て板において、
上記錠は、上記各係止部材を貫通して上記取付部材に螺合する固定ねじ部材を更に具備し、上記固定ねじ部材を上記取付部材に螺合した状態で上記係止部材の解錠方向の回動を阻止するように形成してなる、ことを特徴とする扉体を備える隔て板。
【請求項４】
請求項１ないし３のいずれかに記載の扉体を備える隔て板において、
上記回転軸は、上記扉体の外周縁部に嵌合固定されるＵ字状の第１の支持部材と、上記板材の開口部の内周縁部に嵌合固定されるＵ字状の第２の支持部材との背中合わせ部に回転自在に取り付けられている、ことを特徴とする扉体を備える隔て板。
【請求項５】
請求項１ないし４のいずれかに記載の扉体を備える隔て板において、
上記板材の開口部の内周縁に嵌合固定される内枠と、上記扉体の外周縁に嵌合固定される外枠と、上記内枠及び外枠のいずれか一方の対向面に設けられた周溝内に嵌挿されて他方の対向面に密接可能なパッキン材とを更に具備する、ことを特徴とする扉体を備える隔て板。
【請求項６】
マンション等の集合住宅のベランダにおける隣家間の境界部分に設置される隔て板を構成する破壊可能な材料からなる板材に扉体を設置する方法であって、
上記板材の中間部を無端状に切り取って、上記板材に開口部を形成すると共に、上記開口部の内周より若干小さい外周を有する扉体を取り出し、
回転軸により背中合わせに連結されると共に、回転軸の径方向に回転自在なＵ字状の第１及び第２の支持部材を有する回転部材を用意し、上記回転部材の第１の支持部材を上記扉体の外周縁部に嵌合固定すると共に、上記第２の支持部材を上記板材の開口部の内周縁部に嵌合固定して、上記板材に形成された上記開口部内に、上記板材から切り取られた扉体を開閉可能に取り付けるようにした、
ことを特徴とする隔て板に扉体を設置する方法。
【発明の詳細な説明】
【技術分野】
【０００１】
この発明は、例えばマンションなどの集合住宅におけるベランダ等に使用される扉体を備える隔て板及び隔て板に扉体を設置する方法に関するものである。
【背景技術】
【０００２】
一般に、マンション等の集合住宅においては、プライバシー保護等のために、バルコニーやベランダ〈以下に、ベランダ等という〉における隣家間の境界部分に隔て板が設置されている。
【０００３】
この隔て板は、火災発生等の避難が必要となったとき、蹴破って避難装置のある所まで行くことができるように定められている。
【０００４】
ところが、ベランダ等の空間のメンテナンス（防水、塗装等）が必要となったときは、隔て板を破壊する訳にはいかないので、足場に梯子のようなものを設けてベランダ手摺を乗り越える必要があるが、高所での作業のため、危険性を伴う作業となる。
【０００５】
そこで、従来では、隔て板の一部を構成する着脱部材に開口部を設け、該開口部を開閉可能な開閉部材を備える構造のものが知られている（例えば、特許文献１参照）。
【０００６】
また、特許文献１記載のものにおいては、上記着脱部材及び又は開閉部材に、破壊可能な脆弱部が設けられており、火災発生等の避難が必要となったとき、脆弱部を破壊して人が通り抜けることができるようになっている。
【先行技術文献】
【特許文献】
【０００７】
【特許文献１】特開２００８−１６３５８３号公報（特許請求の範囲、図１，図５）
【発明の概要】
【発明が解決しようとする課題】
【０００８】
しかしながら、特許文献１記載の構造のものにおいては、メンテナンスが必要なときに、既存の隔て板の一部を取り除いて、開閉部材と脆弱部とを有する着脱部材を取り付けて使用する構造であるため、隔て板の除去と着脱部材の取付に多くの労力を要すると共に、コストが嵩むという懸念がある。
【０００９】
また、火災発生等の避難が必要となったときは、脆弱部を蹴破って破壊することが可能であるが、脆弱部は例えば断続的なスリットで形成されているため、非常時の動揺している状態では、脆弱部又は脆弱部付近を的確に蹴飛ばして破壊することは難しいという懸念もある。
【００１０】
この発明は、上記事情に鑑みてなされたもので、隔て板が備える破壊可能な機能を損なわずに、メンテナンス工事等で必要な場合には、ベランダを通路として使用可能な扉体を簡単に設置可能とする扉体を備える隔て板及び隔て板に扉体を設置する方法を提供する。
【課題を解決するための手段】
【００１１】
上記課題を解決するため、この発明に係る隔て板は、マンション等の集合住宅のベランダにおける隣家間の境界部分に設置される隔て板であって、隔て板を構成する枠材と、該枠材内に嵌め込まれる破壊可能な材料からなる板材と、該板材に設けられた開口部内に配設され、開口部との間に介設される回転軸によって上記開口部を開閉可能な扉体と、上記扉体の自由端部における両側面部に、該扉体の自由端部が位置する上記板材の開口部側と係脱可能に係合する錠とを備え、非常時には、上記板材が人力により破壊可能に形成されている、ことを特徴とする。
【００１２】
このように構成することにより、隔て板を構成する破壊可能な材料からなる板材に設けられた開口部内に扉体を開閉可能に取り付けることができ、ベランダ等の空間のメンテナンス（防水、塗装等）時には、扉体を開放して作業者の通行を可能にする。また、火災等の非常時には、板材を蹴破って破壊することができ、避難装置のある所まで行くことができる。
【００１３】
また、平常時には、錠を施錠状態にすることができ、ベランダ等の空間のメンテナンス（防水、塗装等）時には、錠を解錠状態にし、扉体を開放して作業者の通行を可能にすることができる。
【００１４】
この発明において、上記錠は、上記扉体を挟持した状態で固定されるＵ字状の取付部材と、該取付部材の両面に対して回動可能に装着される一対の係止部材とを具備し、上記両係止部材の先端部により上記板材を挟み込むように係合して施錠状態を保持するように形成してなる方が好ましい。また、上記錠は、上記各係止部材を貫通して上記取付部材に螺合する固定ねじ部材を更に具備し、上記固定ねじ部材を上記取付部材に螺合した状態で上記係止部材の解錠方向の回動を阻止するように形成する方が好ましい。なお、この場合、固定ねじ部材の頭部を特殊な構造にして、特殊な工具のみでしか固定ねじ部材の螺合操作を行えない構造としてもよい。
【００１５】
このように構成することにより、錠を構成する一方の係止部材と板材との係合を解除することにより、解除した係止部材と反対側の他方の係止部材を有する側に扉体を開放する。また、各係止部材を貫通して取付部材に螺合する固定ねじ部材を更に具備することにより、固定ねじ部材を取付部材に螺合した状態で係止部材の解錠方向の回動を阻止することができるので、扉体が不用意に開閉することがない。
【００１６】
また、この発明において、上記回転軸は、上記扉体の外周縁部に嵌合固定されるＵ字状の第１の支持部材と、上記板材の開口部の内周縁部に嵌合固定されるＵ字状の第２の支持部材との背中合わせ部に回転自在に取り付けられている構造とする方が好ましい。
【００１７】
このように構成することにより、扉体の外周縁部に第１の支持部材を嵌合固定し、板材の開口部の内周縁部に第２の支持部材を嵌合固定して、開口部内に扉体を開閉可能に取り付けることができる。
【００１８】
また、この発明において、上記板材の開口部の内周縁に嵌合固定される内枠と、上記扉体の外周縁に嵌合固定される外枠と、上記内枠及び外枠のいずれか一方の対向面に設けられた周溝内に嵌挿されて他方の対向面に密接可能なパッキン材とを更に具備する方が好ましい。
【００１９】
このように構成することにより、扉体が閉じた状態において、板材の開口部の内周縁に嵌合固定される内枠と扉体の外周縁に嵌合固定される外枠との間に介在されるパッキン材が隙間を閉塞することができる。
【００２０】
また、この発明に係る隔て板に扉体を設置する方法は、マンション等の集合住宅のベランダにおける隣家間の境界部分に設置される隔て板を構成する破壊可能な材料からなる板材に扉体を設置する方法であって、上記板材の中間部を無端状に切り取って、上記板材に開口部を形成すると共に、上記開口部の内周より若干小さい外周を有する扉体を取り出し、回転軸により背中合わせに連結されると共に、回転軸の径方向に回転自在なＵ字状の第１及び第２の支持部材を有する回転部材を用意し、上記回転部材の第１の支持部材を上記扉体の外周縁部に嵌合固定すると共に、上記第２の支持部材を上記板材の開口部の内周縁部に嵌合固定して、上記板材に形成された上記開口部内に、上記板材から切り取られた扉体を開閉可能に取り付けるようにした、ことを特徴とする。
【００２１】
このように構成することにより、隔て板を構成する破壊可能な材料からなる板材を切り取って形成される開口部内に、同じく板材から切り取られた扉体を開閉可能に設置することができる。
【発明の効果】
【００２２】
この発明によれば、上記のように構成されているので、以下のような優れた効果が得られる。
【００２３】
（１）隔て板が備える破壊可能な機能を損なわずに、メンテナンス工事等で必要な場合には、ベランダを通路として使用可能な扉体を簡単に設置可能とすることができる。
【００２４】
（２）扉体の自由端部における両側面部に、該扉体の自由端部が位置する板材の開口部側と係脱可能に係合する錠を具備することにより、平常時には、錠を施錠状態にすることができるので、隣家間のプライバシーの保護が図れる。また、ベランダ等の空間のメンテナンス（防水、塗装等）時には、錠を解錠状態にし、扉体を開放して作業者の通行を可能にすることができるので、メンテナンス作業を容易に行うことができる。この場合、錠を構成する各係止部材を貫通して取付部材に螺合する固定ねじ部材を更に具備することにより、固定ねじ部材を取付部材に螺合した状態で係止部材の解錠方向の回動を阻止することができ、扉体が不用意に開閉することがないので、更に隣家間のプライバシーの保護が図れる。
【００２５】
（３）回転軸を、扉体の外周縁部に嵌合固定されるＵ字状の第１の支持部材と、板材の開口部の内周縁部に嵌合固定されるＵ字状の第２の支持部材との背中合わせ部に回転自在に取り付けることにより、扉体の外周縁部に第１の支持部材を嵌合固定し、板材の開口部の内周縁部に第２の支持部材を嵌合固定して、開口部内に扉体を開閉可能に取り付けることができる。したがって、開口部内に扉体を簡単かつ確実に開閉可能に設置することができる。
【００２６】
（４）板材の開口部の内周縁に嵌合固定される内枠と、扉体の外周縁に嵌合固定される外枠と、内枠及び外枠のいずれか一方の対向面に設けられた周溝内に嵌挿されて他方の対向面に密接可能なパッキン材とを更に具備することにより、扉体が閉じた状態において、板材の開口部の内周縁に嵌合固定される内枠と扉体の外周縁に嵌合固定される外枠との間に介在されるパッキン材が隙間を閉塞することができるので、開口部と扉体の隙間から風が吹き抜けるのを防止することができると共に、風圧や外部からの振動等によって扉体が振動するのを防止することができる。
【００２７】
（５）この発明に係る隔て板に扉体を設置する方法によれば、隔て板を構成する破壊可能な材料からなる板材を切り取って形成される開口部内に、同じく板材から切り取られた扉体を開閉可能に設置することができるので、既設の隔て板の一部を利用して隔て板に扉体を設置することができる。したがって、部材の削減が図れると共にコストの低廉化を図ることができる。
【図面の簡単な説明】
【００２８】
【図１】この発明に係る扉体を備える隔て板の設置状態を示す正面図（ａ）及び（ａ）のＡ部拡大図（ｂ）である。
【図２】図１のＩ−Ｉ線に沿う拡大断面図である。
【図３】図１のII−II線に沿う拡大断面図である。
【図４】この発明における回転軸及び回転部材を示す断面斜視図である。
【図５】上記回転軸及び回転部材の扉体と板材への取付手順を示す断面図である。
【図６】図１のIII−III線に沿うこの発明における錠の拡大断面図である。
【図７】上記錠の解錠状態を示す拡大断面図である。
【図８】この発明における扉体の施錠状態、解錠状態及び開放状態を示す要部斜視図である。
【図９】上記錠の施錠状態を示す斜視図（ａ）及び解錠状態を示す斜視図（ｂ）である。
【図１０】上記錠の取付部材の一部を断面で示す斜視図である。
【図１１】上記錠の係止部材を示す斜視図である。
【図１２】この発明における板材を切り取って扉体を取り出した状態を示す概略正面図（ａ）、開口部に内枠を取り付ける状態を示す概略正面図（ｂ）及び扉体に外枠を取り付ける状態を示す概略正面図（ｃ）である。
【図１３】内枠を取り付けた開口部と外枠及びパッキン材を取り付けた扉体を示す分解断面斜視図である。
【発明を実施するための形態】
【００２９】
以下に、この発明に係る隔て板の実施形態を添付図面に基づいて詳細に説明する。
【００３０】
この発明に係る隔て板１は、図１に示すように、マンション等の集合住宅のベランダ２における隣家間の境界部分の建物の躯体３とベランダ２のスラブ４に設置固定されて、隔て板１を構成する方形状に形成された枠材５と、枠材５内に嵌め込まれる例えばフレキシブルボード（繊維強化セメント板）のような破壊可能な材料からなる板材６と、板材６に設けられた開口部７内に配設され、開口部７との間に介設される回転軸４０によって開口部７を開閉可能な扉体８とを備えている。この場合、扉体８は板材６と同様の材料すなわち例えばフレキシブルボード（繊維強化セメント板）のような破壊可能な材料にて形成されており、非常時には、板材６が破壊可能に形成されている。なお、この場合、少なくとも板材６が破壊すれば、扉体８が開口部７から外れるため、扉体８は必ずしも破壊可能である必要はない。
【００３１】
上記板材６に形成される開口部７は、四隅に凹状円弧部７ａを有する略矩形状に形成されており、開口部７の内周縁部には、例えばアルミニウム製あるいは合成樹脂製の断面コ字状（チャンネル状）の内枠１０が嵌合固定されている（図２参照）。
【００３２】
一方、上記扉体８は、開口部７の内周より若干小さい外周を有する四隅に凸状円弧部８ａを有する略矩形状に形成されており、扉体８の外周縁部には、例えばアルミニウム製あるいは合成樹脂製の外枠２０が嵌合固定されている。この場合、図２に示すように、外枠２０は、断面コ字状の嵌合溝部２１と、嵌合溝部２１の外周壁２２と、外周壁２２の両側から外方に向かって起立する一対の側壁２３とからなる周溝２４とを具備している。そして、周溝２４には、例えば合成ゴム製の断面円形状の環状のパッキン材３０が嵌装されている。
【００３３】
上記回転軸４０は、図３及び図４に示すように、扉体８の外周縁部に嵌合固定される略Ｕ字状の第１の支持部材４１と、板材６の開口部７の内周縁部に嵌合固定される略Ｕ字状の第２の支持部材４２との背中合わせ部に回転自在に取り付けられて、回転部材４３を構成している。この場合、回転軸４０は、両端に大径頭部４０ａと外向きフランジ部４０ｂとを有する中空段付き軸ピンによって形成されており、第１の支持部材４１の背中合わせ部である外壁４１ａに設けられた貫通孔４１ｂと、第２の支持部材４２の背中合わせ部である外壁４２ａに設けられた貫通孔４２ｂに回転自在に嵌挿されている。このように形成することによって、回転軸４０を介して第１の支持部材４１と第２の支持部材４２は、互いに回転軸４０の径方向すなわち回転軸４０を中心として回転自在に連結される。
【００３４】
また、第１の支持部材４１は、外枠２０を内包する凹状基部４１ｃの両側壁４１ｄの先端側に屈曲段部４１ｅを介して凹状基部４１ｃの開口幅より狭い開口幅を形成する一対の外部側壁４１ｆが延在されている。なお、外部側壁４１ｆには第１の支持部材４１を扉体８に固定する固定ねじ４５の取付孔４１ｇが穿設されている。
【００３５】
また、第２の支持部材４２は、内枠１０を内包する凹状基部４２ｃの両側壁４２ｄの先端側に屈曲段部４２ｅを介して凹状基部４２ｃの開口幅より狭い開口幅を形成する一対の外部側壁４２ｆが延在されている。なお、外部側壁４２ｆには第２の支持部材４２を扉体８に固定する固定ねじ４５の取付孔４２ｇが穿設されている。
【００３６】
上記のように形成される第１の支持部材４１と第２の支持部材４２は、例えばステンレス鋼製板材を折り曲げ加工やプレス加工等によって形成されており、外部側壁４１ｆ，４２ｆが外方に向かって広がり変形可能になっている。
【００３７】
上記のように形成される回転部材４３を扉体８及び板材６に取り付けるには、図５に示すようにして行うことができる。すなわち、まず第２の支持部材４２の両外部側壁４２ｆを広げて、内枠１０が装着された板材６の開口部７の内周縁部に嵌装する（図５（ａ）参照）。次に、広げられていた両外部側壁４２ｆの拘束力を解いて、両外部側壁４２ｆを板材６に嵌合して、第２の支持部材４２に設けられた取付孔４２ｇと板材６に設けられた貫通孔６ａ（取付の際に設けてもよい）に固定ねじ４５を挿通し、固定ねじ４５の突出部に固定ナット４６を螺合して、第２の支持部材４２を板材６に固定する（図５（ｂ）参照）。第２の支持部材４２を板材６に嵌合固定した後、第１の支持部材４１の外部側壁４１ｆを広げて、外枠２０及びパッキン材３０が装着された扉体８の外周縁部に嵌装する（図５（ｂ）参照）。次に、広げられていた両外部側壁４１ｆの拘束力を解いて、両外部側壁４１ｆを扉体８に嵌合して、第１の支持部材４１に設けられた取付孔４１ｇと扉体８に設けられた貫通孔８ｂ（取付の際に設けてもよい）に固定ねじ４５を挿通し、固定ねじ４５の突出部に固定ナット４６を螺合して、第１の支持部材４１を扉体８に固定する（図５（ｃ）参照）。なお、第１の支持部材４１を扉体８に嵌合固定した状態では、第１の支持部材４１の外壁４１ａによってパッキン材３０は圧縮変形する。
【００３８】
なお、回転部材４３を構成する第１及び第２の支持部材４１，４２は、回転軸４０を中心として径方向に回転自在に形成されているので、第２の支持部材４２を板材６に取り付ける際、又は、第１の支持部材４１を扉体８に取り付ける際には、第１の支持部材４１と第２の支持部材４２の位置を互いに変位させて取り付けることができるので、取付作業を容易にすることができる。
【００３９】
上記のようにして、扉体８の一側端側の上下２箇所と開口部７の一側端側の同一鉛直線上の上下２箇所に回転部材４３を取り付けることにより、扉体８が開口部７内に開閉可能に取り付けられる。
【００４０】
なお、上記説明では、回転部材４３の第２の支持部材４２を板材６に嵌合固定した後に、第１の支持部材４１を扉体８に嵌合固定する場合について説明したが、回転部材４３の取付手順は必ずしもこれに限定されるものではない。すなわち、まず、第１の支持部材４１を扉体８に嵌合固定した後に第２の支持部材４２を板材６に嵌合固定してもよいし、あるいは、上下の一方の回転部材４３の第１の支持部材４１を扉体８に嵌合固定し、他方の回転部材４３の第２の支持部材４２を板材６に嵌合固定した後、一方の回転部材４３の第２の支持部材４２を板材６に嵌合固定し、他方の回転部材４３の第１の支持部材４１を扉体８に嵌合固定してもよい。
【００４１】
一方、扉体８の自由端部における両側面部には、扉体８の自由端部が位置する板材６の開口部側と係脱可能に係合する錠５０が設けられている。
【００４２】
錠５０は、図６ないし図９に示すように、扉体８を挟持した状態で取付ねじ５２によって固定されるＵ字状の取付部材５１と、この取付部材５１の両側片５１ａに取り付けられた枢支ピン５３を介して取付部材５１の側面に対して回動可能に装着される一対の係止部材であるラッチ５４とを具備し、両ラッチ５４の先端部により板材６の内周縁部を挟み込むように係合して施錠状態を保持するように形成されている。なお、枢支ピン５３は、取付部材５１の側片５１ａに設けられた貫通孔５１ｂとラッチ５４に設けられた貫通孔５４ａを貫通する段付きのリベットにて形成されており、取付部材５１とラッチ５４を貫通した突出部をかしめて、取付部材５１に対してラッチ５４を回動可能に連結している（図６及び図７参照）。また、ラッチ５４の先端部の内側すなわち対向面には、それぞれ板材の内周縁部の表面との隙間を塞いでガタツキを防止するための緩衝板５６が固設されている。
【００４３】
また、錠５０は、各ラッチ５４に設けられた貫通孔５４ｂを貫通して取付部材５１に設けられたねじ孔５１ｈに螺合する固定ねじ部材であるロックねじ５５を更に具備し、ロックねじ５５を取付部材５１に螺合した状態でラッチ５４の解錠方向の回動を阻止するように形成されている。なお、ロックねじ５５には抜け止め用板片５６が一体に取り付けられている。この場合、ロックねじ５５は通常のねじとは異なり、通常のプラス又はマイナスドライバーや六角レンチ等の工具では操作できない特殊ねじ例えば頭部５５ａに特殊工具のみ操作可能な２つ穴５５ｂを有する特殊ねじにて形成されている（図９参照）。このようにロックねじ５５を特殊ねじにて形成することにより、悪戯によって錠５０が不用意に解錠されるのを防止することができる。
【００４４】
なお、錠５０の取付部材５１は、図６、図７及び図１０に示すように、一対の側片５１ａを有するＵ字状基部５１ｅと、このＵ字状基部５１ｅの両側片５１ａの先端に、互いに近接方向に屈曲して先端側に延在する先端側片５１ｆとを有している。また、取付部材５１の側片５１ａには、枢支ピン５３の貫通孔５１ｂが設けられると共に、バーリング部５１ｄにロックねじ５５が螺合可能なねじ孔５１ｈが設けられている。また、一方の先端側片５１ｆには取付ねじ５２が貫通可能な貫通孔５１ｉが穿設されており、他方の先端側片５１ｆのバーリング部５１ｇには取付ねじ５２が螺合可能な取付ねじ孔５１ｃが設けられている。
【００４５】
上記のように構成される錠５０を備えることにより、平常時には、錠５０を施錠状態にすることができる。この状態では、ロックねじ５５を取付部材５１に螺合した状態でラッチ５４の解錠方向の回動が阻止されているので、扉体８が不用意に開閉することがない（図６及び図８（ａ）参照）。
【００４６】
また、ベランダ２の空間のメンテナンス（防水、塗装等）時には、図７に示すように、ロックねじ５５を緩めて取付部材５１との螺合を解いて解錠状態にし、扉体８を開放して作業者の通行を可能にすることができる。この場合、錠５０を構成する一方のラッチ５４と板材６との係合を解除することにより、解除したラッチ５４と反対側の他方のラッチ５４を有する側に扉体８を開放することができる（図８参照）。したがって、どちら側からも扉体８が開放可能となる。また、プライバシー保護のために、板材６と扉体８との間（特に錠５０の部分）に封緘などを設けてもよい。これにより、扉体８の不法な開放が視覚的にわかるようになり、防犯対策とすることができる。
【００４７】
上記のように構成される扉体８を備える隔て板１は、扉体８を取り付ける板材６が破壊可能な材料例えば繊維強化コンクリート板にて形成されているので、火災等の非常時には、板材６と扉体８の連結部例えば回転部や施錠部を蹴破ることによって板材６及び扉体８を破壊することができる。なお、この場合、少なくとも板材６が破壊すれば、扉体８が開口部７から外れることによって破壊される。
【００４８】
なお、板材６と扉体８の破壊を更に容易にするために、扉体８の回転部において、扉体８に取り付けられる回転部材４３の第１の支持部材４１の扉体８に接触する幅方向の面積と、第２の支持部材４２が板材６に接触する幅方向の面積とのいずれか一方をより大きくする方がよい。このような構造とすることにより、扉体８の回転部を蹴破る時の力が小面積の支持部材４１，４２側に集中して板材６を容易に破壊することができる。
【００４９】
次に、この発明に係る隔て板に扉体を設置する方法について説明する。ここでは、既設の隔て板に扉体を設置する場合について説明する。
【００５０】
まず、隔て板１を構成する破壊可能な板材の中間部を無端状に切り取って、板材６に四隅が凹状円弧状の略矩形状の人が通り抜け可能な開口部７を形成すると共に、開口部７の内周より若干小さい外周を有する四隅が凸状円弧状の略矩形状の扉体８を取り出す（図１２（ａ）参照）。この場合、例えば開口部７の形状に形取った型紙を板材６に貼った状態で、開口部７の輪郭に沿って複数の貫通孔をあけ、これら貫通孔を貫通する鋸やカッタを用いて開口部７を形成すると共に、扉体８を取り出すことができる。
【００５１】
次に、板材６に形成された開口部７の内周縁部に内枠１０を嵌合固定する〈図１２（ｂ）参照〉。この場合、内枠１０は両端が当接される略矩形状に形成されており、図１２（ｂ）に想像線で示すように、両端部を当接せずに内方側に屈曲させた状態で開口部７の内周縁部に嵌合して行き、最後に両端部を開口部７の内周縁部に嵌合、もしくは接着等の固定手段により固定する。
【００５２】
一方、取り出された扉体８の外周縁部には外枠２０を嵌合固定する（図１２（ｃ）参照）。この場合、外枠２０は両端が当接される略矩形状に形成されており、図１２（ｃ）に想像線で示すように、両端部を当接せずに外方側に屈曲させた状態で扉体８の外周縁部に嵌合して行き、最後に両端部を扉体８の外周縁部に嵌合して固定する。扉体８に外枠２０を嵌合固定した後、外枠２０の周溝２４にパッキン材３０を嵌装する（図１３参照）。
【００５３】
次に、回転軸４０により背中合わせに連結されると共に、回転軸４０の径方向に回転自在なＵ字状の第１及び第２の支持部材４１，４２を有する２個の回転部材４３を用意する。そして、一方の回転部材４３の第２の支持部材４２を板材６の開口部７の一側端側の上部の内周縁部に嵌合固定すると共に、第１の支持部材４１を扉体８の一側端側の上部の外周縁部に嵌合固定し、また、他方の回転部材４３の第２の支持部材４２を板材６の開口部７の一側端側の下部の内周縁部に嵌合固定すると共に、第１の支持部材４１を扉体８の一側端側の下部の外周縁部に嵌合固定する。これにより、扉体８は、回転軸４０を中心として開口部７内に開閉可能に設置される。
【００５４】
なお、扉体８の自由端側の外周縁部に錠５０が取り付けられる。錠５０の扉体８への取付は、錠５０を構成する取付部材５１を扉体８の自由端部側の外周縁部に嵌合（嵌装）した状態で、取付ねじ５２を取付部材５１の一方の先端側片５１ｆに設けられた貫通孔５１ｉと扉体８に設けられた貫通孔８ｂ（取付の際に設けてもよい）に貫通し、他方の先端側片５１ｆも外方肉厚部５１ｇに設けられた取付ねじ孔５１ｃに螺合して取り付けることができる。
【００５５】
上記のように、既設の隔て板１を構成する板材６の一部を切り取って開口部７を形成すると共に、切り取られた板材からなる扉体８を回転部材４３を用いて開口部７に開閉可能に設置することにより、構成部材の削減が図れると共に、設置作業を容易にすることができ、かつ、コストの低廉化を図ることができる。
【００５６】
なお、上記実施形態では、既設の隔て板１を構成する板材６を切り取って扉体８を設置する場合について説明したが、設置前の隔て板１を構成する破壊可能な板材６を切り取って同様に開口部７を形成すると共に、扉体８取り出し、上記実施形態と同様の手順で板材６の開口部７に回転部材４３を用いて扉体８を開閉可能に設置してもよい。
【００５７】
なお、隔て板１の設置寸法が変わる場合があるので、予め板材６の寸法を大きめにしておき、設置現場において、設置される枠材５に合わせて板材６を切断する方がよい。
【００５８】
なお、上記実施形態では、扉体８の外周縁部に嵌合固定される外枠２０にパッキン材８を取り付けたが、開口部７の内周縁部に嵌合固定される内枠１０に周溝２４を形成して、この周溝２４にパッキン材８を嵌挿させて取り付けてもよい。
【符号の説明】
【００５９】
１  隔て板
２  ベランダ
５  枠材
６  板材
７  開口部
８  扉体
１０  内枠
２０  外枠
２４  周溝
３０  パッキン材
４０  回転軸
４１  第１の支持部材
４２  第２の支持部材
４３  回転部材
５０  錠
５１  取付部材
５３  枢支ピン
５４  ラッチ（係止部材）
５５  ロックねじ（固定ねじ部材）
【図１】
2011174308.tif 000003
【図２】
2011174308.tif 000004
【図３】
2011174308.tif 000005
【図４】
2011174308.tif 000006
【図５】
2011174308.tif 000007
【図６】
2011174308.tif 000008
【図７】
2011174308.tif 000009
【図８】
2011174308.tif 000010
【図９】
2011174308.tif 000011
【図１０】
2011174308.tif 000012
【図１１】
2011174308.tif 000013
【図１２】
2011174308.tif 000014
【図１３】
2011174308.tif 000015